(57)【要約】【課題】情報処理装置、情報処理方法、情報処理プログラム及び記録媒体に関し、文字等の変換対象を１又は２以上の変換候補に変換処理する情報処理において、その変換処理に時間情報を関係付けて変換結果の最適化を図り、以て変換効率を高めること。【解決手段】辞書（履歴辞書６、時間辞書７、ユーザ登録辞書８、基本辞書９）、時間検出手段（変換手段３、時間辞書７）及び変換手段（３）等を備えている。辞書には変換対象に対応する１又は２以上の変換候補が時間情報に関係付けて格納され、時間検出手段は時間情報を出力し、変換手段は変換対象の変換候補等への変換に際し時間情報を参照する。この結果、最適な変換処理、変換処理の迅速化を図っている。【選択図】　　　　図１
2004005379.tif 000002
【特許請求の範囲】
【請求項１】
文字、記号、文字又は記号の要素、又はこれらの２以上の組合せを変換対象とし、この変換対象に対応する１又は２以上の変換候補を時間情報に関係付けて格納する辞書と、
検出した時刻を表す時間情報を出力する時間検出手段と、
前記辞書の参照により前記変換対象を１又は２以上の変換候補に前記時間情報に関係付けて変換する変換手段と、
を備えたことを特徴とする情報処理装置。
【請求項２】
前記変換手段は、前記変換対象の変換時の時間情報を用いて前記変換候補の順序を変更する順序変更手段を備えたことを特徴とする請求項１記載の情報処理装置。
【請求項３】
前記変換手段は、時間情報に関係付けられた前記変換候補と前記時間情報との関係を更正する時間更正手段を備えたことを特徴とする請求項１記載の情報処理装置。
【請求項４】
文字、記号、文字又は記号の要素、又はこれらの２以上の組合せを変換対象とし、この変換対象を認識するステップと、
時間情報を認識するステップと、
前記変換対象に対応する１又は２以上の変換候補を時間情報に関係付けて格納した辞書を参照し、前記変換対象に対応する１又は２以上の変換候補を前記時間情報に関係付けて変換するステップと、
を備えたことを特徴とする情報処理方法。
【請求項５】
前記変換対象に対応する１又は２以上の変換候補を前記時間情報に関係付けて変換する際に、前記変換候補の順序を前記時間情報に応じて変更するステップを含むことを特徴とする請求項４記載の情報処理方法。
【請求項６】
前記時間情報と前記変換候補との関係を更正するステップを含むことを特徴とする請求項４記載の情報処理方法。
【請求項７】
文字、記号、文字又は記号の要素、又はこれらの２以上の組合せを変換対象とし、この変換対象を認識する機能と、
時間情報を認識する機能と、
前記変換対象に対応する１又は２以上の変換候補を時間情報に関係付けて格納した辞書を参照し、前記変換対象に対応する１又は２以上の変換候補を前記時間情報に関係付けて変換する機能と、
を備え、係る機能を情報処理装置に実現させることを特徴とする情報処理プログラム。
【請求項８】
前記変換対象に対応する１又は２以上の変換候補を前記時間情報に関係付けて変換する際に、前記変換候補の順序を前記時間情報に応じて変更する機能を含み、係る機能を情報処理装置に実現させることを特徴とする請求項７記載の情報処理プログラム。
【請求項９】
前記時間情報と前記変換候補との関係を更正する機能を含み、係る機能を前記情報処理装置に実現させることを特徴とする請求項７記載の情報処理プログラム。
【請求項１０】
文字、記号、文字又は記号の要素、又はこれらの２以上の組合せを変換対象とし、この変換対象を認識する機能と、
時間情報を認識する機能と、
前記変換対象に対応する１又は２以上の変換候補を時間情報に関係付けて格納した辞書を参照し、前記変換対象に対応する１又は２以上の変換候補を前記時間情報に関係付けて変換する機能と、
を備え、係る機能を情報処理装置に実現させる情報処理プログラムを格納したことを特徴とする記録媒体。
【発明の詳細な説明】
【０００１】
【発明の属する技術分野】
本発明は、入力された文字等を含む文字列の変換候補を提示する文字入力処理装置、携帯電話機等に好適な情報処理に関し、文字、記号又はそれらの要素、又はこれらの組合せを変換対象として文字列の予測変換をするとともに、時間情報を関係付けた変換処理を可能にした情報処理装置、情報処理方法、情報処理プログラム及び記録媒体に関する。
【０００２】
【従来の技術】
従来、携帯電話機等の情報処理端末では、複数の文字や記号等が割り当てられたキーを用いて変換に必要な文字等の入力により、所望の文字列を実現する方法が取られている。例えば、携帯電話機等において、電子メールの本文等を入力する場合、キーで１文字を入力して変換キーを押下すると、以前に入力されて保存されている当該１文字を先頭に含む文字列（漢字かな混じり文）を辞書から取り出して順に表示し、所望の文字列が表示されたときに確定キーを押下することで、少ないキー入力で所望の文字列を迅速に入力することが行われている。
【０００３】
この種の情報処理技術には例えば、特許文献１〜１２が存在している。
【０００４】
【特許文献１】
特開平２−７１３１６号公報
【０００５】
【特許文献２】
特開昭６３−７６８号公報
【０００６】
【特許文献３】
特開平１１−３３８８５８号公報
【０００７】
【特許文献４】
特開平９−１１４８１７号公報
【０００８】
【特許文献５】
特表２０００−５０８０９３号公報
【０００９】
【特許文献６】
ＵＳＰ５，８１８，４３７
【００１０】
【特許文献７】
ＵＳＰ６，０１１，５５４
【００１１】
【特許文献８】
ＵＳＰ６，３０７，５４９
【００１２】
【特許文献９】
ＵＳＰ５，１０９，３５２
【００１３】
【特許文献１０】
特開平２−１３５５１９号公報
【００１４】
【特許文献１１】
ＵＳＰ５，１８７，４８０
【００１５】
【特許文献１２】
特表平４−５０２２２３号公報
【００１６】
特許文献１では、入力された単語とタイマの時刻情報とから文章を合成し、その結果をＣＲＴに表示することが開示されている。また、特許文献２では、入力された文節の意味を解釈により次に入力される文節を予測して提示することが開示されている。特許文献３では、入力された文字列から日本語と英語等の他の言語の文字列を同時に予測し、その予測候補を提示することが開示されている。特許文献４では、入力された文字列に後続可能な文字列を１単語以上予測、表示し、その選択作業の軽減化を図ることが開示されている。特許文献５、特許文献６、特許文献７及び特許文献８には、ワードレベルの曖昧さ除去を使用してキーストロークの曖昧さを解決する減少型キーボードについて開示され、特許文献６、７及び８は、特許文献５に開示された発明の米国対応出願である。また、特許文献９及び１０には、表意文字の集合体をコード化するシステムについて開示され、特許文献１０は特許文献９の日本対応出願である。また、特許文献１１及び１２には、キーボードを用いて漢字等の各種記号を効率的に形成する記号形成装置について開示され、特許文献１２は特許文献１１の日本対応出願である。
【００１７】
【発明が解決しようとする課題】
ところで、従来の入力文字を文字列等に予測変換する場合、従来では、その変換に過去に入力した履歴を参照しており、直前に使用した文字列又は使用頻度の高いものに優先的に変換され、そのため、入力変換処理がユーザによってはかえって使い難い場合もあった。
【００１８】
頻繁に用いられる言葉には挨拶等があるが、例えば、「おはよう」「おやすみ」等は時間に対応して用いられるので、入力履歴のみを参照して変換した場合には、変換時の時間と言葉にずれを生じ、時間によってはキー操作が増加し、文字変換効率を低下させることになる。
【００１９】
このような文字変換において、特許文献１では入力された単語とタイマの時刻情報とから文章を合成しているにすぎないし、特許文献２〜４では、入力文字列から他の文字列を予測しているにすぎないし、特許文献５〜８では、ワードレベルの曖昧さ除去を使用してキーストロークの曖昧さを解決する減少型キーボードについて開示しているにすぎないし、また、特許文献９〜１２では、文字を含む記号形成に関する技術にすぎないから、このような特許文献１〜１２に開示された技術を用いたとしても、変換時の時間によって生じる言葉のずれによる文字変換効率の改善はできない。
【００２０】
そこで、本発明は、文字等の変換対象を１又は２以上の変換候補に変換処理する情報処理に関し、その変換処理に時間情報を関係付けて変換結果の最適化を図り、以て変換効率を高めることを目的とする。
【００２１】
【課題を解決するための手段】
係る課題を解決した本発明の情報処理装置、情報処理方法、情報処理プログラム及び記録媒体の構成は以下の通りである。
【００２２】
本発明の情報処理装置は、辞書（履歴辞書６、時間辞書７、ユーザ登録辞書８、基本辞書９）、時間検出手段（時間辞書７）及び変換手段（３）を備えている。辞書は、文字、記号、文字又は記号の要素、又はこれらの２以上の組合せを変換対象とし、この変換対象に対応する１又は２以上の変換候補を時間情報に関係付けて格納している。ここで、変換対象において、「文字」とは、言語であって、日本語の漢字、ひらがな、かたかな、ローマ字、韓国語、中国語、英語のアルファベット等が含まれる。「記号」には、文字以外の符号等が含まれる。「文字又は記号の要素」とは、文字や記号の部分であり、例えば、漢字であれば偏やつくり、アルファベットの「Ａ」であれば、「∧」等である。また、「これらの２以上の組合せ」とは、文字、記号、文字又は記号の要素から選択された２以上の組合せであり、文字列、記号列、文字及び記号、文字又は記号の要素の組合せ等の複合体を指す。また、変換対象は、１又は２以上の変換候補に関係付けられており、変換候補を導き出すための契機となる情報である。そして、時間情報との関係付けとは、時間的要素を含む変換候補、例えば、挨拶を表す変換候補「おはよう」には朝を表す時間情報が関係付けられている。
【００２３】
時間検出手段は、例えば、時計で構成され、検出した時刻を表す時間情報を出力する。この場合、外部から入力される時刻により、時間情報を出力するようにしてもよい。
【００２４】
また、変換手段は、変換対象を受けるとともに、辞書の参照により変換対象を１又は２以上の変換候補に時間情報に関係付けて変換する処理を行う。この変換手段の処理において、変換対象を認識したとき、辞書から１又は２以上の変換候補を読み出し、又は、変換対象を認識するとともに、その変換指示を認識して同様の処理を行うことを含んでいる。そこで、辞書には、時間情報に関係付けられた変換候補が格納されているので、変換対象を認識したとき、その変換時の時間情報を参照し、１又は２以上の変換候補を辞書から読み出すことができる。この場合、時間情報には、時間検出手段が変換手段に対して出力する時間情報の他、ユーザが入力する時間情報を用いてもよい。また、この場合、変換候補と時間情報との関係を重視しているが、変換対象を変換候補に変換する処理において、時間情報に関係付けられていない変換候補以外の読み出しを禁止する主旨に解釈してはならない。
【００２５】
従って、このような情報処理装置によれば、辞書、時間検出手段及び変換手段を備えて、文字、記号、文字又は記号の要素、又はこれらの２以上の組合せの何れかを変換対象とし、係る変換対象を受け、時間検出手段からの時間情報を参照し、１又は２以上の変換候補が得られる。この変換候補からユーザは任意の変換候補を選択し、所望の変換結果を得ることができ、例えば、変換時に則した変換結果として挨拶文等、ユーザが期待ないし予測する最適な変換結果を出力させることができ、変換処理の迅速化とともに変換操作の簡略化を図ることができる。
【００２６】
本発明の情報処理装置において、前記変換手段は、前記変換対象の変換時の時間情報を用いて前記変換候補の順序を変更する順序変更手段を備えたことを特徴とする。即ち、変換候補の順序の変更は、変換候補に時間情報を基礎として優先順位を付けることである。日常、時間帯で交わされる挨拶が異なる。時間帯が朝であれば「おはよう」、夕方であれば「おつかれ」、夜であれば「おやすみ」が用いられる。そこで、変換対象を例えば、「お」とし、その変換候補を例えば、「おつかれ」、「おはよう」、「おやすみ」とすれば、これに時間情報を関係付けると、朝であれば、「おはよう」を最優先候補、夕方であれば「おつかれ」を最優先候補、夜であれば「おやすみ」を最優先候補となるように、変換候補を時間情報で変更することができる。このような変換処理によれば、入力履歴のみを参照した予測変換に比較し、変換時と言葉、即ち、挨拶とにずれがなく、変換結果の最適化とともに、変換効率を向上させることができる。このような変換処理は、言語の種別を問わない。
【００２７】
本発明の情報処理装置において、前記変換手段は、時間情報に関係付けられた前記変換候補と前記時間情報との関係を更正する時間更正手段（時間帯更正手段３０）を備えたことを特徴とする。生活時間帯は人によって異なり、挨拶の形態もその生活時間帯によって変化すれば、利便性が高められる。例えば、夜に「おはよう」、朝に「おやすみ」というパターンも予想される。そこで、この情報処理装置においては、変換時に選択された変換候補から判定される生活時間帯に応じて時間情報と変換候補との関係を更正すれば、その生活時間帯に対応して優先候補を取り出すことができ、ユーザの予測ないし期待に則した最適な変換結果を得ることができる。係る処理をすれば、生活時間帯に対応して変換時と変換結果、即ち、挨拶等を表す言葉とにずれがなく、変換結果の最適化とともに、変換効率を向上させることができる。
【００２８】
本発明の情報処理方法は、変換対象を認識するステップ、時間情報を認識するステップ、変換処理のステップを含んでいる。
（１）　　変換対象を認識するステップでは、文字、記号、文字又は記号の要素、又はこれらの２以上の組合せを変換対象とし、この変換対象を認識する処理を行う。
（２）　　時間情報を認識するステップでは、情報処理装置において、変換時を表す時間情報の認識、入力される任意の時刻ないし時間を表す時間情報を認識する処理を行う。
（３）　　変換処理のステップでは、前記変換対象に対応する１又は２以上の変換候補を時間情報に関係付けて格納した辞書を参照し、前記変換対象に対応する１又は２以上の変換候補を前記時間情報に関係付けて変換する処理を行う。
【００２９】
係る情報処理方法によれば、変換対象に対応した変換候補を時間情報と関係付けて取り出すことができるとともに、時間情報に則した変換結果を得ることができるので、変換の最適化とともに、変換効率を向上させることができる。
【００３０】
また、本発明の情報処理方法は、変換対象を認識するステップ、時間情報を認識するステップ、変換処理のステップを含んでいるが、変換処理において、前記変換対象に対応する１又は２以上の変換候補を前記時間情報に関係付けて変換する際に、前記変換候補の順序を前記時間情報に応じて変更する処理を行う。
【００３１】
係る情報処理方法によれば、変換時を表す時間情報に対応して変換候補の順序を変更するので、ユーザが期待する優先順位に変更することができ、入力履歴のみを参照した予測変換に比較し、変換結果を最適化するとともに、変換効率を向上させることができる。
【００３２】
本発明の情報処理方法は、変換対象を認識するステップ、時間情報を認識するステップ、変換処理のステップを含んでいるが、変換処理において、前記時間情報と前記変換候補との関係を更正する処理を行う。即ち、生活時間帯は人によって異なり、挨拶の形態もその生活時間帯によって変化すれば、利便性が高められる。そこで、変換時に選択された変換候補から判定される生活時間帯に応じて時間情報と変換候補との関係を更正すれば、ユーザの予測ないし期待に則した最適な変換結果を得ることができる。係る処理をすれば、挨拶等を表す言葉とにずれがなく、変換結果の最適化とともに、変換効率を向上させることができる。
【００３３】
本発明の情報処理プログラムは、文字、記号、文字又は記号の要素、又はこれらの２以上の組合せを変換対象とし、この変換対象を認識する機能と、時間情報を認識する機能と、前記変換対象に対応する１又は２以上の変換候補を時間情報に関係付けて格納した辞書を参照し、前記変換対象に対応する１又は２以上の変換候補を前記時間情報に関係付けて変換する機能とを備え、係る機能を情報処理装置に実現させることを特徴とする。即ち、この情報処理プログラムは、上記情報処理方法を情報処理装置に実現させるプログラムである。係る情報処理プログラムによれば、変換対象に対応した変換候補を時間情報と関係付けて取り出すことができるとともに、時間情報に則した変換結果を得ることができ、変換の最適化とともに、変換効率を向上させることができる。
【００３４】
本発明の情報処理プログラムにおいて、前記変換対象に対応する１又は２以上の変換候補を前記時間情報に関係付けて変換する際に、前記変換候補の順序を前記時間情報に応じて変更する機能を含み、係る機能を情報処理装置に実現させることを特徴とする。即ち、この情報処理プログラムは、変換候補の順序を前記時間情報に応じて変更する処理を情報処理装置に実現させるプログラムである。係る情報処理プログラムによれば、変換対象に対応した変換候補を時間情報と関係付けて取り出すことができるとともに、変換候補の順序を時間情報に応じて変更することができるので、変換結果の最適化とともに、変換効率を向上させることができる。
【００３５】
本発明の情報処理プログラムにおいて、前記時間情報と前記変換候補との関係を更正する機能を含み、係る機能を前記情報処理装置に実現させることを特徴とする。即ち、この情報処理プログラムでは、情報処理装置に前記時間情報と前記変換候補との関係を更正する処理を実現させるプログラムである。係る情報処理プログラムによれば、ユーザの生活時間帯等の時間情報に則した変換候補や変換結果を取り出すことができ、変換処理の迅速化、利便性の向上を図ることができる。
【００３６】
また、本発明の記録媒体は、情報処理装置に実現させる前記情報処理プログラムを格納したものである。即ち、文字、記号、文字又は記号の要素、又はこれらの２以上の組合せを変換対象とし、この変換対象を認識する機能と、時間情報を認識する機能と、前記変換対象に対応する１又は２以上の変換候補を時間情報に関係付けて格納した辞書を参照し、前記変換対象に対応する１又は２以上の変換候補を前記時間情報に関係付けて変換する機能とを備えたものである。
【００３７】
従って、係る記録媒体によれば、情報処理装置を通じて変換対象に対応した変換候補を時間情報に関係付けて取り出すことができ、時間情報に則した変換結果を得ることができ、変換処理の最適化とともに、変換効率の向上を図ることができる。
【００３８】
【発明の実施の形態】
（第１の実施の形態）
図１は、本発明の情報処理装置、情報処理方法、情報処理プログラム及び記録媒体の第１の実施の形態としての処理システムを示している。
【００３９】
この処理システムにはコンピュータ等で構成される処理装置１が備えられている。この処理装置１は、入力文字を他の文字列に変換する処理をする情報処理装置であって、処理プログラムに従い文字変換処理等の各種処理の実行、例えば、文字等の変換対象の１又は２以上の変換候補への変換等の情報処理を実行する。ここで、変換対象は、文字、記号、文字又は記号の要素、又はこれらの２以上の組合せの何れでもよく、日本語、英語、中国語、韓国語等、何れの言語であってもよい。また、１又は２以上の変換候補とは、任意の言語において、変換対象及び時間情報に関係付けられた言語等の１又は２以上の文字列である。また、時間情報とは、時刻又は時間帯等の時間を表す情報である。そこで、変換対象を変換候補に変換し、変換結果を得る変換処理を実現する手段として、処理装置１は、入力手段２、変換手段３、表示手段４、登録手段５、バッファメモリＢＭ等を備えている。これらの構成は、処理装置１を構成するコンピュータによって実現され、入力手段２、変換手段３、表示手段４及び登録手段５等は情報処理手段としてのＣＰＵ（Ｃｅｎｔｒａｌ　Ｐｒｏｃｅｓｓｉｎｇ　Ｕｎｉｔ　）、記憶手段としてのＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）等で構成され、また、記憶手段としては内部記憶手段、外部記憶手段の何れでもよく、入力処理、変換処理及び確定処理等の各種の情報処理を処理装置１に実現させる記録媒体としてＣＤ−ＲＯＭ（Ｃｏｍｐａｃｔ　Ｄｉｓｃ　Ｒｅａｄ　Ｏｎｌｙ　Ｍｅｍｏｒｙ　）、ＦＤ（Ｆｌｏｐｐｙ　Ｄｉｓｃ　）等の磁気ディスク、光ディスク等を用いることができる。また、この処理システムには、辞書データベースとして履歴辞書６、時間辞書７、ユーザ登録辞書８、基本辞書９が備えられ、また、入出力処理手段として、表示装置１０及び入力装置１１等が備えられている。時間辞書７は、処理装置１が備える時計等の計時手段とともに、時間検出手段を構成している。
【００４０】
この処理装置１において、入力手段２は、入力装置１１から入力された文字を取り込み、表示装置１０の表示領域１４（図２）、即ち、入力フィールド１４への情報入力等を行う処理手段である。変換手段３は、入力された文字について、履歴辞書６、時間辞書７、ユーザ登録辞書８又は基本辞書９を検索して入力文字を変換候補又は変換結果としての他の文字列に変換する処理を行う処理手段である。また、表示手段４は、変換手段３で得られた変換候補や変換結果を表す文字列やカーソル等を表示装置１０の表示領域１４（図２）に表示する処理手段である。ここで、変換候補は、変換結果を得るための処理途上における変換情報を表しており、変換結果の一態様であって、このように変換候補を定義すると、変換結果は、変換候補からユーザの選択又は情報処理によって選択された変換候補の１又は２以上を示すことになる。また、登録手段５は、履歴辞書６、時間辞書７又はユーザ登録辞書８に文字や文字列を登録する処理手段である。
【００４１】
履歴辞書６は、従前に用いられた情報を格納する記憶手段であって、処理装置１における入力、変換及び登録処理に伴う各種の情報を登録し、例えば、表示領域１４（図２）に入力及び展開され、変換候補等への変換処理の後、確定キーを押下して確定した文字列（例えば、かな、かな漢字文字列）が登録される。時間辞書７は、文字に対応付けて変換候補や時間情報を格納する記憶手段であって、処理装置１の情報処理に必要な時間情報を出力する。この場合、時間情報は、時刻又は時間帯を表す。
【００４２】
ユーザ登録辞書８は、ユーザが文字に対応付けて変換候補や変換結果を登録する手段であって、処理装置１における入力、変換及び登録処理に伴う各種の情報として、変換対象に対応した変換候補や変換結果を登録する。基本辞書９は、予め入力文字に対応付けられた変換候補や変換結果を登録したものである。また、表示装置１０は、液晶ディスプレイ等の情報提示手段であって、入力された文字、変換結果等を表示するものであり、入力装置１１はキーボード等で構成され、変換対象である文字や記号を入力するものである。
【００４３】
そして、この処理システムは例えば、携帯電話機に適用され、例えば、図２に示すように、この携帯電話機は折り畳み式電話機であって、電話機本体１２にヒンジ部１３を介して折り畳み可能に表示装置１０が設けられ、表示装置１０には表示領域であるとともに文字の入力域である入力フィールド１４が形成されている。電話機本体１２側には入力装置１１として複数行、複数列に配設された複数の文字キー１５、変換キー１６、確定キー１７等が設けられている。文字キー１５には、例えば、日本語対応キーではひらがな「あ」ないし「ん」、数字、アルファベット、韓国語対応キーでは子音、母音、パッチム等が割り付けられている。英語対応キーや中国語対応キーではアルファベットや数字等が割り付けられている。入力フィールド１４には、入力文字１８、カーソル１９、変換結果やその候補等が表示される。
【００４４】
以上の構成とすれば、変換手段３の変換処理において、文字の入力時に当該入力時刻を元に時間辞書７等の辞書を検索し、入力文字を含む変換候補が当該時刻を表す時間情報を起点にして順に取り出され、その変換候補が表示手段４に取り出し順に表示される。この場合、変換手段３では、変換対象の入力、かな漢字変換、確定キー１７の押下による文字列の確定等の処理が行われ、変換対象又は変換候補が選択される。
【００４５】
そして、登録手段５は、文字列の先頭の文字に対応付けて変換候補ないし変換結果をユーザ登録辞書８、その変換時の時刻を表す時間情報を時間辞書７に登録し、各情報を保存する。即ち、変換対象及び時間情報に関係付けられた変換候補ないし変換結果が記録され、履歴辞書６には履歴情報が格納される。
【００４６】
変換候補を関係付ける時間情報としての時刻は、例えば、朝、昼、夜、深夜の時間帯に区分し、この時間区分又は区分の時間幅は設計者等が変更可能とする。また、その区分形態としては、１時間おきの１日２４区分としてもよいし、昼、夜の２区分にしてもよい。
【００４７】
従って、変換対象である入力文字１８に対応付けられた１又は２以上の変換候補を時間情報に関係付けて時間辞書７、ユーザ登録辞書８に格納することにより、入力文字１８と時間情報を参照し、入力文字１８に対応する変換候補ないし変換結果としての文字列を時間情報に則して表示することができる。従って、ユーザが予測する変換候補が得られ、変換結果の最適化とともに、変換効率をより高めることができる。
【００４８】
この第１の実施の形態では、本発明に係る情報処理装置が処理装置１、各種辞書６〜９、表示装置１０及び入力装置１１からなる処理システムとして構成されており、係る処理システムにおいて、本発明に係る情報処理方法、情報処理プログラムが実現される。即ち、この処理システムに実現される情報処理方法は、例えば、（１）　変換対象を認識するステップ、（２）　時間情報を認識するステップ、（３）　変換処理のステップを含んでいる。
【００４９】
具体的には、変換対象を認識するステップでは、文字、記号、文字又は記号の要素、又はこれらの２以上の組合せを変換対象とし、この変換対象を認識する処理が行われる。また、時間情報を認識するステップでは、情報処理装置において、変換時を表す時間情報の認識、入力される任意の時刻ないし時間を表す時間情報を認識する処理が行われる。そして、変換処理のステップでは、変換対象に対応する１又は２以上の変換候補を時間情報に関係付けて格納した辞書を参照し、変換対象に対応する１又は２以上の変換候補を時間情報に関係付けて変換する処理が行われる。そして、これらのステップないし処理を実現するための手段又は機能を備えた記録媒体を構成することができる。
【００５０】
このような処理、手段又は機能を例えば、図３に示すフローチャートを参照して説明する。図３に示すフローチャートは、本発明の情報処理装置、情報処理方法、情報処理プログラム及び記録媒体の第１の実施の形態に係る処理動作を示している。
【００５１】
このフローチャートにおいて、変換処理の開始に先立って、ステップＳ１では入力フィールド（表示領域）１４を表示する。即ち、例えば、図２に示す携帯電話機では、表示装置１０の画面上に入力フィールド１４を表示させる。この表示の後、ステップＳ２では変換対象を指定するために文字キー１５等を用いてキー入力を行う。この場合、ステップＳ１で表示された入力フィールド１４にカーソル１９を移動させて位置付けを行い、この位置付けの後、文字キー１５を押下して文字入力を行う。この文字入力として例えば「あ」を入力する。
【００５２】
この実施の形態では、変換対象である文字入力の後、変換指示を行う。この変換指示は、ステップＳ３で実行され、ステップＳ３では、変換キー１６が押下されたか否かを判別する。この判別処理が変換指示となる。入力フィールド１４に例えば、文字「あ」の表示状態を条件に、変換キー１６が押下されたか否かを判別し、変換キー１６が押下された場合（ＹＥＳ）には、ステップＳ４に移行する。押下されなかった場合（ＮＯ）には、変換指示がないため、ステップＳ２に戻り、入力フィールド１４に新たな文字入力の操作を繰り返すことができる。
【００５３】
また、この実施の形態では、文字入力数によって時間情報を参照するか否かを判別している。即ち、ステップＳ４では、入力文字数が１文字か否かを判別し、変換キー１６が押下されたとき、入力フィールド１４の入力文字数が１文字か否かを判別する。この判別結果から、入力文字数が１文字の場合には時間情報を参照して辞書検索、入力文字数が２文字以上の場合には時間情報を参照することなく、通常の辞書検索を行う。そこで、入力文字数が１文字の場合（ＹＥＳ）にはステップＳ５に移行し、入力文字数が１文字でない場合（ＮＯ）にはステップＳ１０に移行することになる。
【００５４】
ステップＳ５では、変換時の時刻に対応する時間情報を参照し、変換候補を取り出す。この処理は、ステップＳ６に示すように、
ａ　履歴辞書６
ｂ　時間辞書７の朝、昼、夜、深夜の中、文字入力した時間帯を起点にした順
ｃ　ユーザ登録辞書８
ｄ　基本辞書９
の順に変換候補を取り出し、先頭から変換候補を生成する。ステップＳ７では、生成された複数の変換候補が表示装置１０に表示され、ユーザはその内容を視覚により認識することができる。
【００５５】
ステップＳ８では、複数の変換候補から所望のものを選択し、変換候補を変換結果として確定させることができる。この場合、ユーザは表示装置１０に表示されている変換候補中の何れかの１つにカーソル１９を移動させて選択した後、確定キー１７を押下すると、その変換候補が確定し、入力フィールド１４に設定される。この場合、カーソル１９を移動させても、確定キー１７を押下しなければ、選択された変換候補を確定させることはなく、再度カーソル１９を移動させ、他の変換候補を選択することが可能である。
【００５６】
そして、変換候補を確定した後、ステップＳ９では、入力処理を継続するか否かを判別する。この判別は、例えば、再度、確定キー１７を操作したか否か等により判別することができる。そこで、変換候補が確定すると、他の入力が行われない場合、即ち、入力を続ける場合（ＹＥＳ）には、ステップＳ１に移行し、ステップＳ１からステップＳ９までの入力及び変換処理が繰り返される。例えば、再び確定キー１７を操作すれば、操作が完了して入力の継続が停止（ＮＯ）し、この変換処理を終了する。
【００５７】
ところで、ステップＳ１０では、入力フィールド１４に２文字以上が入力された状態の処理を示しており、この場合、変換キー１６が押下されると、ステップＳ１１に移行し、通常の変換処理として、ユーザ登録辞書８、基本辞書９の順に該当する変換候補の読み出しが行われ、その変換候補はステップＳ７に移行して表示される。１又は２以上の変換候補は、ステップＳ８で確定キー１７の押下によって確定させることができ、変換結果として表示装置１０に表示される。
【００５８】
この通常の変換処理においても、ステップＳ９では、入力処理を継続するか否かを判別し、この判別は、例えば、再度、確定キー１７を操作したか否か等により判別することができる。そこで、変換候補が確定すると、他の入力が行われない場合、即ち、入力を続ける場合（ＹＥＳ）には、ステップＳ１に移行し、ステップＳ１からステップＳ９までの入力及び変換処理が繰り返される。例えば、再び確定キー１７を操作すれば、操作が完了して入力の継続が停止（ＮＯ）し、この変換処理を終了することになる。
【００５９】
このように、ユーザが入力フィールド１４に１文字を入力した状態で変換キー１６を押下した場合（ステップＳ４のＹＥＳの場合）、履歴辞書６から変換候補を抽出、時間辞書７から入力時刻に対応する時間帯を表す時間情報を契機として順に変換候補を抽出、ユーザ登録辞書８から変換候補を抽出、更に、基本辞書９から変換候補を抽出し、これらの順に変換候補を表示し（例えば、図６）、その中からユーザが選択し、又は順に表示させてその中から選択し、確定キー１７を押下して入力フィールド１４に設定する。従って、文字を入力している時刻を表す時間情報を契機として最適な変換候補を表示でき、その時間情報に対応した最適な変換候補が優先的に表示されるので、変換効率を高めることができる。
【００６０】
以上の変換処理における表示例を例えば、図４に示す。図４は、表示装置１０の画面表示例を示し、図４の（ａ）は変換対象として入力文字１８である「あ」の画面表示を示している。入力文字「あ」の次に表示されたカーソル１９は、次の入力位置を示している。
【００６１】
この表示状態で変換キー１６を押下すると、１回目の変換キー１６の押下により、例えば、図４の（ｂ）に示すように、最先変換候補２０である文字列「雨が」が表示される。即ち、この文字列の表示は、図４の（ａ）で入力された文字「あ」を先頭に含む変換候補中の最先変換候補２０である文字列「雨が」（即ち、図３のステップＳ５）が表示されている。
【００６２】
この表示状態で２回目の変換キー１６が押下されると、例えば、図４の（ｃ）に示すように、最先変換候補２０である文字列「雨が」を先頭に全変換候補２１が表示される。表示された全変換候補２１は、図４の（ａ）で入力された文字「あ」を先頭に含む文字列（図３のステップＳ７）である。この全変換候補２１は次の通りである。
【００６３】
雨が
朝は
朝日
遊ぶ
朝帰り
朝寝坊
・・・
【００６４】
以上のように、図３に示すフローチャートのステップＳ７で得られる変換候補、即ち、最先変換候補２０又は全変換候補２１を画面上に表示すると、時間情報に則した順に最先変換候補２０又は全変換候補２１が表示されることになる。
【００６５】
また、この実施の形態に係る処理装置１の変換手段３は変換対象の変換時の時間情報により変換候補の順序を変更する順序変更手段を構成している。そこで、係る構成により時間情報に応じた変換候補の順を変更する変換処理を、例えば、図５に示すフローチャートを参照して説明する。図５に示すフローチャートは、本発明の情報処理装置、情報処理方法、情報処理プログラム及び記録媒体の処理動作を示している。
【００６６】
ステップＳ２１では、文字キー１５により変換対象の文字入力として例えば、”あ”を入力する。この場合、入力フィールド１４の所望の位置にカーソル１９を移動させ、文字キー１５の押下により、そのカーソル１９の位置に文字入力”あ”を入力すると、入力された文字”あ”が表示される。
【００６７】
入力フィールド１４に”あ”が入力されて表示された状態で、ステップＳ２２で変換キー１６が押下されると、ステップＳ２３に移行する。ステップＳ２３では、履歴辞書６に変換候補が存在するか否かを判別する。即ち、ステップＳ２２で変換キー１６が押下されると、履歴辞書６を検索して、”あ”に対応付けられた登録｛又は”あ”を先頭に持つ文字列（ひらがな文、かな漢字混じり文）｝が存在するか否かを検索する。その登録がある場合（ＹＥＳ）には、ステップＳ２４に移行し、履歴辞書６から候補順に取り出して先頭から処理装置１のバッファメモリＢＭに格納し、ステップＳ２５に移行する。また、その登録が履歴辞書６にない場合（ＮＯ）には、ステップＳ２３からステップＳ２５に移行する。
【００６８】
ステップＳ２５では、時間辞書７に変換候補があるか否かを判別する。即ち、時間辞書７を検索し、入力文字”あ”に対応付けられた登録｛又は”あ”を先頭に持つ文字列（ひらがな文、かな漢字混じり文）｝があるか否かを検索し、登録がある場合（ＹＥＳ）には、ステップＳ２６に移行し、時間辞書７からその登録を候補順に取り出してバッファメモリＢＭに格納し、ステップＳ２７に移行する。また、その登録が時間辞書７にない場合（ＮＯ）には、ステップＳ２５からステップＳ２７に移行する。
【００６９】
ステップＳ２７では、ユーザ登録辞書８に変換候補があるか否かを判別する。即ち、ユーザ登録辞書８を検索して、入力文字”あ”に対応付けられた登録｛又は”あ”を先頭に持つ文字列（ひらがな文、かな漢字混じり文）｝が存在するか否かを検索する。その登録がある場合（ＹＥＳ）には、ステップＳ２８に移行し、その登録を取り出して候補順にバッファメモリＢＭに格納し、ステップＳ２９に移行する。また、その登録がユーザ登録辞書８にない場合（ＮＯ）には、ステップＳ２７からステップＳ２９に移行する。
【００７０】
ステップＳ２９では、基本辞書９に変換候補があるか否かを判別する。即ち、基本辞書９を検索して、入力文字”あ”に対応付けられた登録｛又は”あ”を先頭に持つ文字列（ひらがな文、かな漢字混じり文）｝があるか否かを判別する。その登録がある場合（ＹＥＳ）には、ステップＳ３０に移行し、その登録を候補順に取り出してバッファメモリＢＭに格納し、ステップＳ３１に移行する。また、その登録が基本辞書９にない場合（ＮＯ）には、ステップＳ２９からステップＳ３１に移行する。
【００７１】
ステップＳ３１では、格納したバッファメモリＢＭの先頭から表示領域分を取り出す。この場合、重複したものは除かれる。
【００７２】
そして、ステップＳ３２では、ステップＳ２４、Ｓ２６、Ｓ２８、Ｓ３０でバッファメモリＢＭに先頭から優先順に格納された変換候補について、ステップＳ３１で表示領域分だけ先頭から取り出された変換候補又は変換結果を例えば、図６に示す表示文字列で表示する。
【００７３】
以上によって、１文字として例えば「あ」を入力して変換キー１６を押下すると、履歴辞書６、時間辞書７の現入力時刻に対応する時間帯を起点にした順、ユーザ登録辞書８、基本辞書９の優先順に当該「あ」を先頭に持つ変換候補を例えば、図６に示すように表示する（この場合、「あ」の入力時刻は１７：００である）。これにより、現入力に係る時刻に対応する時間帯を優先にした変換候補が最先変換候補２０として表示され、最適な変換候補が得られるとともに、より変換効率を高めることができる。
【００７４】
なお、この実施の形態では、時間辞書７のみを入力文字１８に対応付けて時間帯を登録しておき、時間辞書７の検索時に現入力した時刻に対応する時間帯を起点に優先順に変換候補を表示したが、同様に、履歴辞書６についても使用した時点（確定キー１７を押下して選択して使用した時点）に対応する時間帯を使用した文字列の先頭文字に対応付けて登録しておき、検索時に現入力時刻に対応する時間帯を起点に優先順に変換候補又は変換結果を表示するようにしてもよい。
【００７５】
変換候補の表示例について、例えば、図６を参照して説明する。図６は、表示文字列と使用辞書との関係を示す図である。この図６において、左側に示した表示文字列は変換候補を表し、右側に示した使用する辞書は表示文字列を検索して取り出した辞書｛履歴辞書６、時間辞書７の時間帯（朝、昼、夜、深夜）、ユーザ登録辞書８、基本辞書９｝を表す。なお、時間辞書７は、入力された時刻に対応する時間帯を起点に循環する優先順に取り出して上方向から下方向に向けて下記及び図６に示すように表示する。左側に示した表示文字列である変換候補は、上方から下方に向かって最優先候補から下位候補を表している。ここでは、入力文字「あ」について、その変換候補は次の通りである。
【００７６】
表示文字列　　　使用する辞書
雨が　　　　　　履歴辞書６：直近かつ使用
朝は　　　　　　同上
朝日　　　　　　時間辞書７：夜（「あ」の入力時刻が１７：００とする）
遊ぶ　　　　　　同上　　　：夜
朝帰り　　　　　同上　　　：深夜
会いたい　　　　同上　　　：朝
朝寝坊　　　　　同上　　　：朝
朝ごはん　　　　同上　　　：朝
暖かい　　　　　同上　　　：昼
後でね　　　　　同上　　　：昼
愛鷹（あしたか）ユーザ登録辞書８
亜　　　　　　　基本辞書９
阿　　　　　　　同上
ア　　　　　　　同上
あ　　　　　　　同上
・・・
【００７７】
このように、履歴辞書６、時間辞書７の時間帯（朝、昼、夜、深夜の起点からの順）、ユーザ登録辞書８、基本辞書９の順に変換候補を取り出して図示の入力文字列のように表示し、現在の入力時刻に対応する時間帯に対応して変換候補順に表示しているので、その選択を容易化することができ、変換効率をより高めることができる。
【００７８】
この実施の形態において、履歴辞書６は、例えば、図７に示すように構成される。図７は、履歴辞書６の登録内容を示している。この履歴辞書６は、過去に入力フィールド１４に表示して確定キー１７を押下して入力した文字列（かな漢字混じり文）を変換結果とし、その変換結果の先頭のかな（例えば「あ」）に対応付けて登録したものであって、最新のものを先頭に登録した辞書である。この履歴辞書６には、既述したように、図示の入力文字１８に対応付けて変換候補とともに時間帯等の時間情報を登録してもよく、係る形態とすれば、変換対象である入力文字１８の入力時刻に対応する時間帯を起点にして（例えば、入力時の時刻が午前８時であれば、朝、昼、夜、深夜の順）該当する変換候補を順に取り出すことができる。
【００７９】
従って、このような履歴辞書６を用いれば、直近に用いた変換候補や変換結果を優先的に表示することができ、更に、時間帯を表す時間情報を登録した場合には、入力時の時刻に対応する時間帯等の時間情報を契機として変換候補や変換結果を時間帯順に表示させることができる。
【００８０】
また、この実施の形態において、時間辞書７は、例えば、図８の（ａ）に示すように構成される。この時間辞書７には、入力文字１８に対応して変換候補が登録されているとともに、変換候補に対応する時間情報としての時間帯が登録されている。時間帯は、例えば、図８の（ｂ）に示す形態である。そこで、時間帯と変換候補との関係は、変換候補が持つ語義やその用途等、変換候補に関する時間的な関わりから時間帯が設定される。なお、変換候補に登録する時間帯はユーザにおいて任意に且つ自由に設定することができる。この実施の形態では、その一例として下記のように登録されている。
【００８１】
入力文字　変換候補　時間帯
あ　　　　明日　　　夜
あ　　　　遊ぶ　　　夜
あ　　　　朝帰り　　深夜
あ　　　　朝寝坊　　朝
あ　　　　後でね　　昼
・・・
【００８２】
そして、時間帯は一定の時間範囲を表しており、この実施の形態では、例えば、図８の（ｂ）に示すように定義されている。即ち、各時間帯と時刻との関係は次の通りである。
【００８３】
時間帯　　時刻
朝　　　　　５：００〜１０：５９
昼　　　　１１：００〜１６：５９
夜　　　　１７：００〜２２：５９
深夜　　　２３：００〜　４：５９
【００８４】
このように、時間辞書７には入力文字１８に対応して変換候補及び時間帯が登録されており、変換対象としての入力文字１８とともに、入力文字１８の入力時刻が含まれる時間帯に応じて変換候補が読み出され、その変換候補は対応する時間帯を起点に順に表示される。この結果、入力文字１８が共通化した複数の変換候補について、時間情報を契機とするので、その時刻に対応した変換候補ないし変換結果が得られ、変換処理の最適化とともに、変換効率を高めることができる。
【００８５】
また、この実施の形態において、ユーザ登録辞書８は、例えば、図９に示すように構成される。ユーザ登録辞書８は、ユーザが変換対象としての入力文字１８及び変換候補を登録可能な辞書であって、他の辞書と同様の形態で入力文字１８に対応して所望の変換候補ないし変換結果を登録することができる。その登録例は次の通りである。
【００８６】
入力文字　　読み　　　　　変換候補
あ　　　　　あしたか　　　愛鷹
【００８７】
このようなユーザ登録辞書８を設定したので、ユーザが入力文字１８に対応付けて個別にユーザが頻繁に使用する地名や氏名等の固有の用語を登録することができ、係るユーザ登録辞書８を用いることにより、入力文字１８に対応する変換候補や変換結果を簡易且つ迅速に表示でき、変換効率を高めることができる。
【００８８】
また、この実施の形態において、基本辞書９は、例えば、図１０に示すように構成される。履歴辞書６、時間辞書７及びユーザ登録辞書８がユーザの使用によって登録語が増加する応用的辞書であるのに対し、基本辞書９はこれらの辞書に用いられる基本的な文字、記号等を登録する基礎的辞書であって、登録されている情報を詳細に述べれば、変換対象としての文字、記号、文字又は記号の要素、又はこれらの２以上の組合せ、１又は２以上の変換候補が格納されている。これらの登録形態は、変換対象である入力文字に対応付けて変換候補ないし変換結果が登録されている。
【００８９】
そこで、この実施の形態に係る情報処理について、辞書登録処理を図１１に示すフローチャート及び表示例を参照して説明する。図１１は、辞書登録処理及び表示例を示すフローチャートである。図１１において、表示例は、表示装置１０の入力フィールド１４における表示であって、入力操作による表示の推移を示している。
【００９０】
この辞書登録処理では、文章入力処理と平行して行うことが可能である。そこで、動作を開始させ、ステップＳ４１で所望の文章を入力する。この文章入力は、ユーザが入力装置１１の文字キー１５を操作して表示装置１０の入力フィールド１４に文章を入力し、例えば、フローチャートの右側に記載した文章を入力する。この場合の変換対象である入力文章は、ステップＳ４２１に示すように、
「けいかくをやめました」
である。
【００９１】
ステップＳ４２では、入力文字の一部を選択して変換する。例えば、ステップＳ４２２に示すように、表示中の「けいかくを」を選択し、変換キー１６を押下すれば、ステップＳ４２３に示すように、選択状態にある「けいかくを」が「計画を」に変換され、その変換結果が次のように表示される。
【００９２】
「計画をやめました」
ステップＳ４３では、変換結果を確定させる。即ち、ステップＳ４２で一部を変換した状態で確定キー１７を押下すると、ステップＳ４４に移行し、その変換結果とともに、入力文字が確定する。即ち、ステップＳ４３での確定キー１７の押下により、「計画を」が確定する。
【００９３】
ステップＳ４５では、履歴辞書６に「計画を」の登録を行う。即ち、ステップＳ４４で確定した「計画を」は、ステップＳ４２４に示すように、先頭の１文字「け」に対応付けられて履歴辞書６に登録される。
【００９４】
そして、ステップＳ４６では、未確定文字があるか否かを判別し、未確定文字がある場合（ＹＥＳ）には、ステップＳ４２に戻り、ステップＳ４２〜Ｓ４５の処理を繰り返す。また、未確定文字がない場合（ＮＯ）には、ステップＳ４７に移行する。
【００９５】
ステップＳ４７では、文字入力を続けるか否かを判別する。文字入力を続ける場合（ＹＥＳ）には、ステップＳ４１に戻り、繰り返す。文字入力を続けない場合（ＮＯ）には、終了する。この場合、文字入力を続行するか否かは、例えば、確定キー１７の再度の操作等により、判別することが可能である。
【００９６】
このように、文章入力中に確定キー１７を押下して確定させた文字列（例えば「計画を」）を先頭の１文字（例えば「け」）に対応付けて履歴辞書６に登録することができる。なお、既述したように、履歴辞書６には、確定キー１７を押下した時刻に対応する時間帯を表す時間情報を登録すれば、入力フィールド１４に１文字が入力されて変換キー１６が押下されたとき、入力時刻が含まれる時間帯を起点に履歴辞書６から順に変換候補を読み出して表示することができる。
【００９７】
以上のように、第１の実施の形態では、図１〜図１１を参照して説明した通り、文字キー１５を操作して文字を入力し、入力ないし表示領域である入力フィールド１４にその入力文字１８を表示した状態で、変換キー１６を押下すると、例えば、図１２の（ａ）に示すように、表示装置１０の表示領域１４には例えば、図６に示した表示文字列が表示され、その中から１つを選択して確定キー１７を押下すると、確定すべき表示文字が選択され、その表示文字の確定とともに、入力フィールド１４に対する入力が可能となる。このとき、その入力時刻が含まれる時間帯を起点に順に変換候補が表示されるので、その時間帯に最適な変換候補を取得でき、変換効率を高めることができるとともに、迅速な変換による入力処理が可能となる。
【００９８】
また、この実施の形態では、携帯電話機を参照して説明したが、例えば、図１２の（ｂ）に示すように、図１に示した処理システムはＰＤＡ（Ｐｅｒｓｏｎａｌ　Ｄｉｇｉｔａｌ　Ａｓｓｉｓｔａｎｔｓ　）に適用することができる。このＰＤＡにおいて、図１２の（ａ）に示した携帯電話機と共通部分には共通の符号を付してある。このＰＤＡでは、そのＰＤＡ本体２２の上部に設けられた表示領域であるとともに入力フィールド１４には、例えば、図６に示す表示文字列が表示される。この入力フィールド１４の下部には、携帯電話機と同様に入力装置１１が設けられ、この入力装置１１には携帯電話機の文字キー１５に対応する情報入力手段として複数の文字入力領域（手書き文字領域あるいはソフトウェアキーを表示）２４、２６、２８が設けられているとともに、この文字入力領域２４〜２８に隣接して変換キー１６、確定キー１７等が設けられている。
【００９９】
このようなＰＤＡにおいても、図１〜図１１を参照して既に述べた通り、文字入力領域２４〜２８上で文字を入力し、その入力文字を入力フィールド１４に表示した状態で、変換キー１６を押下すると、例えば、図６に示す表示文字列に変換して表示させることができる。そこで、その表示文字列中から１つを選択して確定キー１７を押下すると、入力フィールド１４に選択された表示文字列が確定し、その表示文字列の入力が可能となる。この場合、入力時刻が含まれる時間帯を起点に変換候補が順に表示されるので、このＰＤＡにおいても、変換対象から変換候補ないし変換結果への変換効率を高めることができ、迅速な変換処理及び入力処理を実現することができる。
【０１００】
（第２の実施の形態）
次に、図１３は、本発明の情報処理装置、情報処理方法、情報処理プログラム及び記録媒体の第２の実施の形態としての処理システムを示している。この処理システムは、処理装置１に変換候補と時間情報との関係を更正する時間更正手段として時間帯更正手段３０を備えたものである。即ち、時間帯更正手段３０は、変換対象の変換時に選択された変換候補又は変換結果から時間情報と変換候補又は変換結果との関係を更正する手段である。
【０１０１】
このような構成によれば、ユーザの生活時間帯に則した変換処理の迅速化、最適化を図ることができる。即ち、生活時間帯は人によって相違することから、例えば、挨拶の形態もその生活時間帯によって変化するので、この生活時間帯に対応した変換が得られれば、利便性が高められる。例えば、夜に「おはよう」、朝に「おやすみ」というパターンもある。そこで、この処理システムでは、変換時に選択された変換候補から判定される生活時間帯に応じて時間情報と変換候補との関係を更正すれば、その生活時間帯に対応して優先候補を取り出すことができ、ユーザの予測ないし期待に則した最適な変換結果を得ることができる。係る処理をすれば、生活時間帯に対応して変換時と変換候補即ち、ユーザの生活時間帯に対する挨拶等を表す言葉とにずれがなく、変換候補の最適化とともに、変換効率を向上させることができることになる。
【０１０２】
（第３の実施の形態）
次に、図１４は、本発明の情報処理装置、情報処理方法、情報処理プログラム及び記録媒体の第３の実施の形態としての処理システムを示している。この処理システムは、処理装置１に優先順位変更手段３２を備えたものであり、この優先順位変更手段３２は、変換対象から変更候補又は変換結果を得る際に、履歴辞書６、時間辞書７、ユーザ登録辞書８及び基本辞書９の読出し順序の優先順位を変更可能にするものである。第１の実施の形態では、図６に示すように、優先順位として、第１に履歴辞書６、第２に時間辞書７、第３にユーザ登録辞書８、第４に基本辞書９から変換候補を取り出しているが、この実施の形態では、優先順位変更手段３２を用いることにより、入力装置１１からの操作によって辞書の優先順位を任意に設定することができる。例えば、この実施の形態では、第１の実施の形態の優先順位とすることもでき、優先順位を第１に時間辞書７、第２に履歴辞書６、第３にユーザ登録辞書８、第４に基本辞書９とすることができ、また、優先順位を第１にユーザ登録辞書８、第２に時間辞書７、第３に履歴辞書６、第４に基本辞書９とすることもできる。このように、変換候補又は変換結果の優先順位を辞書からの取出し順位によって変更できるので、ユーザの使用形態に則した変換処理の迅速化、最適化を図ることができ、利便性を高めることができるとともに、変換効率の向上を図ることができる。
【０１０３】
（第４の実施の形態）
次に、図１５は、本発明の情報処理装置、情報処理方法、情報処理プログラム及び記録媒体の第４の実施の形態としての処理システムを示している。この処理システムは、基本辞書９とともに、変換候補又は変換結果を格納するデータベースとしてユーザ登録辞書８とは別に推測頭出し変換用辞書（以下「推測変換辞書」という）３４を備えたものである。推測変換辞書３４は、図１に示す処理システムにおける履歴辞書６及び時間辞書７に相当し、その登録内容をより発展させたものである。ユーザ登録辞書８も推測変換辞書３４も同形式の辞書であって、ユーザが所望の変換候補や変換結果を登録するデータベースであるが、ユーザ登録辞書８にはユーザ登録語及び文節学習の候補が格納され、推測変換辞書３４には推測頭出し語及びユーザ使用語が格納されており、変換形態についてみると、ユーザ登録辞書８では文節変換、推測変換辞書３４では単一の文字、記号、文字又は記号の要素を変換対象としている。なお、推測変換辞書３４の変換対象を単一の文字、記号、文字又は記号の要素に代え、これらの２以上の組合せを用いるようにしてもよい。また、登録語数が増大する場合には、基本辞書９に設定される登録エリアを調整して利用してもよい。
【０１０４】
また、ユーザ登録辞書８、基本辞書９及び推測変換辞書３４について、変換対象である同音語間の優先度は、例えば、第１に推測変換辞書３４、第２にユーザ登録辞書８、第３に基本辞書９とし、同一優先度間では登録順とする。登録順が取出順となり、変換効率の最適化、迅速化に寄与することになる。
【０１０５】
そして、推測変換辞書３４では、例えば、表１に示すように、第１〜第４のフィールドを設定し、各フィールドに項番、見出し（ヨミ）、表記（漢字）、時間を割当てて登録する。ここで、「ヨミ」とは、見出しの例えば、日本語読みであり、「時間」とは、時間帯を表す時間情報である。
【０１０６】
【表１】
2004005379.tif 000003
【０１０７】
表１の項番、ヨミ及びヨミの数は、例えば、表２のようになる。この表２において、推測頭出し変換するヨミの数とは、入力文字が例えば、「あ」と変換キー１６（図２）の操作で推測される初期登録語があることを意味しており、入力文字が例えば、「ん」と変換キー１６（図２）の操作で推測される初期登録語は皆無であることを意味している。
【０１０８】
【表２】
2004005379.tif 000004
【０１０９】
ここで、ヨミ１音に対する初期登録数を例えば、２とし、表２から推測頭出し変換の対象であるヨミの数を６７とすれば、１日の時間帯は４分割｛図８の（ｂ）｝であるから、推測頭出し変換候補についての登録語数ｎは、例えば、ｎ＝４×６７×２＝５３６となる。
【０１１０】また、この実施の形態において、ユーザ登録辞書８及び推測変換辞書３４に登録された変換候補又は変換結果を読み出すための見出し（ヨミ）を共通化することで両者を同時的に読み出すことが可能となるが、両者を異ならせることで、読出し内容を区別することが可能である。その場合、最長見出し（ヨミ）について、ユーザ登録辞書８では、例えば、８〜１５程度の数文字に設定し、推測変換辞書３４では１文字に設定すれば、両者の読み出しの優先度を見出し（ヨミ）で設定することが可能となる。また、自動登録において、ユーザ登録辞書８では、例えば、文節拡大時又は文節縮小時に設定し、推測変換辞書３４では文節確定時のみに設定すれば、文節拡大時又は文節縮小時と、文節確定時との区別で自動登録される辞書を選定できることになる。また、最大登録語数は、ユーザ登録辞書８を１００語程度に設定して小規模にし、推測変換辞書３４側を５３６語以上に設定して推測変換語数を大規模化することにより、推測変換の自由度を高めることができる。
【０１１１】
次に、頭出し変換及び推測頭出し変換機能について説明する。処理システムの一例である携帯電話機では、文字情報を入力する場合、テンキーを用いて文字入力を行うため、その入力操作は文字数によって増加し、変換や確定の操作を伴うため、キータッチ数は入力情報の増加に伴って加速度的に増大することになる。この実施の形態では、頭出し変換並びに推測頭出し変換の機能を用いることにより、ユーザのキータッチの軽減を図ることができる。
【０１１２】
ここで、頭出し変換とは、使用語を自動登録した語を変換候補ないし変換結果とし、変換対象を登録語の語頭の文字の読み、例えば、日本語ではひらがなの１文字を以て辞書、例えば、基本辞書９、推測変換辞書３４等から優先的に取り出す処理である。具体的には、ユーザが使用した語、即ち、入力装置１１を用いて入力し、確定させた語をユーザ登録辞書８に自動登録し、その語頭の１文字のヨミの入力と変換キー１６の押下とを条件にそれらを基本辞書９に優先して変換候補や変換結果としての登録語を推測変換辞書３４から出力する処理である。
【０１１３】
また、推測頭出し変換は、頭出し変換の機能を時間情報を併用することにより、機能拡大を図ったものである。即ち、頭出し変換はユーザのニーズに対応する機能であり、頭出し変換のみではキータッチの削減を図れない場合もある。そこで、利便性をより拡大するため、予め頭出し変換の候補として例えば、５００語程度をユーザ登録辞書８と同形式の推測変換辞書３４に格納し、文字キー１５のキー入力に基づき、その入力時刻が含まれる時間帯を参照し、優先順位を決定して登録語を出力する。このように時間情報を参照することで、変換対象に対する変換候補の取り出しの最適化、迅速化を図ることができる。即ち、推測頭出し変換は、頭出し変換の機能をより助長させたものと言える。
【０１１４】
この推測頭出し変換では、例えば、ユーザが「朝は／雨が／降っていました（３文節）」という文章を入力した後、確定させたとする。この場合、ユーザが使用した語として次のように自動学習を行う。ここで、自動学習とは、ユーザ登録辞書８に自動登録することである。この場合、ユーザ登録辞書８には、例えば、表３に示すように、変換対象である見出し（ヨミ）とともに登録の表記（漢字）が登録され、この登録は確定させた順に行われ、即ち、登録順に格納される。
【０１１５】
【表３】
2004005379.tif 000005
【０１１６】
この状態で、ユーザが１文字のヨミとして入力装置１１を用いて「あ」を入力したとする。この入力の時刻が夕方であるとすると、変換キー１６の押下により、表示装置１０の表示領域１４には例えば、図１６に示すように、同音語の一覧が表示される。この場合、推測頭出しは推測変換辞書３４、ユーザ使用語はユーザ登録辞書８、その他の時間の推測頭出し語は推測変換辞書３４、基本登録語は基本辞書９から読み出され、優先順位の高い「明日」、「遊ぶ」は入力時刻が夕方であることから、時間頻度の高い語が取り出されている。
【０１１７】
次に、具体的な変換処理を例１、例２及び例３を参照して説明する。
【０１１８】
（例１）
例１は、推測頭出し変換処理（入力が午前８時の場合）である。
【０１１９】
この場合の処理は、例えば、図１７に示すように、ステップＳ５１で入力及び変換処理を行い、ステップＳ５２で確定処理を行う。即ち、ステップＳ５１１で、例えば、「あさはあめがふっていました」と入力し、文字変換を行うと、ステップＳ５１２で「朝は雨が降っていました」と変換される。この場合、「朝」、「雨」及び「降って」がひらがなから漢字に変換されている。
【０１２０】
また、ステップＳ５２では、「朝は雨が降っていました」の１文節毎に確定処理が行われ、そのステップＳ５２１〜ステップＳ５２２では、「朝は雨が降っていました」について、見出し（語頭、ヨミ）の「あ」で「朝は」が推測変換辞書３４に自動登録される。また、ステップＳ５２３〜ステップＳ５２４では、見出しの「あ」で「雨が」が推測変換辞書３４に自動登録される。また、ステップＳ５２５〜ステップＳ５２６では、見出しの「ふ」で「降っていました」が推測変換辞書３４に自動登録される。
【０１２１】
このように登録処理されると、１文字の「あ」を入力すると、例えば、図１８に示すように、変換キー１６を押下すると、時間情報が参照されて時間頻度の高い候補が取り出された後、次候補である最新の登録語である「雨が」、「朝は」が取り出される。即ち、時間頻度の高い推測頭出しが最優先に取り出され、次にユーザ登録語、その他の時間の推測頭出し、基本辞書登録語が読み出される。この場合、午前８時の取り出しを想定していることから、朝の時間頻度を優先し、次に自動登録した候補が優先し、これに続いて他の推測頭出しの取り出しが行われ、自動登録が存在する場合、朝以外の時間帯の登録語に優先して自動登録語が取り出される。
【０１２２】
（例２）
例２は、ユーザ登録した場合の処理である。
【０１２３】
例えば、表４に示すように、登録の見出しをひらがなの「あじあ」とし、登録の表記を「Ａｓｉａ」としてユーザ登録辞書８に登録したとする。
【０１２４】
【表４】
2004005379.tif 000006
【０１２５】
この場合、例えば、図１９に示すように、ステップＳ６１で入力及び変換処理、ステップＳ６２で文節の拡大処理、ステップＳ６３で確定処理が行われる。ステップＳ６１において、ステップＳ６１１で「あじあがいこく」と入力し、変換キー１６を押下すると、ステップＳ６１２で示すように、「Ａｓｉａ外国」と変換される。ステップＳ６１２で「Ａｓｉａ外国」中の「Ａｓｉａ」を選択し、ステップＳ６２では、文節を拡大して表示すると、「Ａｓｉａが異国」と表示される。ここで、ステップＳ６３のステップＳ６３１で「Ａｓｉａが異国」中の「Ａｓｉａが」を選択し、ステップＳ６３２で次候補の「アジアが」が表示され、更に、ステップＳ６３３で「亜細亜が」が取り出される。ここで、確定キー１７を押下すると、ステップＳ６３４では、「亜細亜が」が確定され、ユーザ登録辞書８に登録される。また、ステップＳ６３５では、「異国」を選択し、確定キー１７を押下すると、ステップＳ６３６で「異国」が確定され、ユーザ登録辞書８に登録される。
【０１２６】
このような登録の後、例えば、図２０に示すように、ステップＳ７１で「あじあがいちばん」と入力して変換するものとすると、ステップＳ７１１で「あじあがいちばん」を選択して変換キー１６を押下すると、ステップＳ７１２で「亜細亜が一番」と変換される。この場合、「あじあ」では、変換候補として「Ａｓｉａ」、「亜細亜が」の双方が登録されているが、語長の長い方の登録語、即ち、ヨミの長い方の登録語である「亜細亜が」の選択が優先的に行われる。そして、ステップＳ７２の次候補を取り、確定する処理では、ステップＳ７２１において、「亜細亜が一番」の「亜細亜が」を選択し、次候補を表示させ、ステップＳ７２２で「Ａｓｉａが」を選択して確定キー１７を操作すると、ステップＳ７２３で「Ａｓｉａが」がユーザ登録辞書８に自動登録される。また、ステップＳ７２４では、「一番」を選択し、確定キー１７を押下すると、ステップＳ７２５で「一番」が確定され、ユーザ登録辞書８に登録される。
【０１２７】
このような自動登録処理が行われた後、例えば、図２１に示すように、「あじあがさいこう」と入力して変換する場合には、ステップＳ７３１で「あじあがさいこう」と入力し、変換キー１６を押下すると、「あじあがさいこう」が変換されるが、この場合、ユーザ登録辞書８に登録されている「亜細亜が」、「Ａｓｉａが」の中、後から登録された登録語である「Ａｓｉａが」が優先されることになる。従って、ステップＳ７３２〜Ｓ７３４に示すように、次候補は「Ａｓｉａが最高」、「亜細亜が最高」、「アジアが最高」の順位となる。
【０１２８】
（例３）
例３は、入力が１文字の場合の処理（入力が午前８時の場合）である。
【０１２９】
例えば、表５に示すように、登録の見出しをひらがなの「や」で「虎」をユーザ登録辞書８に登録したとする。
【０１３０】
【表５】
2004005379.tif 000007
【０１３１】
そして、この場合の処理は、例えば、図２２に示すように、ステップＳ８１で入力及び変換処理を行い、ステップＳ８２で確定処理を行う。即ち、ステップＳ８１１で、例えば、「けいかくをやめました」と入力し、変換キー１６を押下して変換を行うと、ステップＳ８１２で「計画を止めました」と変換される。この場合、「計画」、「止」がひらがなから漢字に変換されている。
【０１３２】
また、ステップＳ８２では、「計画を止めました」の１文節毎に確定処理が行われ、そのステップＳ８２１、ステップＳ８２２では、「計画を止めました」について、見出しの「け」で「計画を」がユーザ登録辞書８に自動登録される。また、ステップＳ８２３、ステップＳ８２４では、見出しの「や」で「止めました」がユーザ登録辞書８に自動登録される。
【０１３３】
このように登録処理されると、１文字の「や」を入力し、変換キー１６を押下すると、例えば、図２３に示すように、時間情報が参照されて時間頻度の高い候補が取り出された後、次候補である最新の登録語である「止めました」、「虎」が取り出される。即ち、時間頻度の高い推測頭出しが最優先に取り出され、次にユーザ登録語、推測頭出し、基本辞書登録語が読み出される。この場合、午前８時の取り出しを想定していることから、朝の時間頻度を優先し、次に自動登録した候補が優先し、これに続いて他の推測頭出しの取り出しが行われ、自動登録が存在する場合、朝以外の時間帯の登録語に優先して自動登録語が取り出される。
【０１３４】
この場合、「屋」の次に最終候補として「矢」が取り出されるが、この「矢」を選択して確定キー１７を押下しても、ユーザ登録辞書８には「矢」の自動登録を行わない。これは、既に基本辞書９に変換対象である「や」で「矢」が登録されているからである。しかし、このような処理を行うと、自動登録は阻止されるが、頻度学習の機能が働き、その取り出し順序が変更されることになる。
【０１３５】
そこで、１文字の「や」を入力すると、例えば、図２４に示すように、変換キー１６の押下によって、図２３で示したように変換処理が行われるが、最終候補が「屋」に変わり、前回の最終候補であった「矢」の優先順位が頻度学習の機能で繰り上がる。即ち、頻度学習としての履歴機能が働いている。
【０１３６】
以上のように、基本辞書９、ユーザ登録辞書８及び推測変換辞書３４を用いて基本辞書９には基本登録語、ユーザ登録辞書８及び推測変換辞書３４にはユーザの使用に係る登録語を格納し、推測変換辞書３４では変換対象の語頭の文字即ち、読みを変換対象として所望の登録語とともに時間情報を格納しているので、変換対象と時間情報とを用いて登録語を取り出すことができ、例えば、優先度を第１に推測変換辞書３４、第２にユーザ登録辞書８、第３に基本辞書９とすることで、最適且つ迅速な変換処理によって所望の変換候補又は変換結果を取り出すことができる。しかも、この実施の形態では、確定キー１７の押下を契機として登録語を選択し、格納することができ、登録の迅速化が図られている。また、このような機能を備えた処理システムでは、ユーザの使用頻度が高い程にシステムが個性化されるとともに、文字変換、推測変換の高知能化を図ることができ、使い勝手のよいシステムに変化させることができる。
【０１３７】
なお、図１５に示す処理システム（第４の実施の形態）において、処理装置１に時間帯更正手段３０（第２の実施の形態）、優先順位変更手段３２（第３の実施の形態）を設置することにより、変換候補や変換結果と時間情報との関係を更正し、又はユーザ登録辞書８と推測変換辞書３４からの変換候補の取り出しの優先順位を変更するようにしてもよい。
【０１３８】
以上述べた本発明に係る処理システムは、例えば、図２５に示すように、日本語入力処理が可能な携帯電話機として具現化することができる。即ち、この携帯電話機では、表示装置１０が電話機本体１２にヒンジ部１３を介して開閉可能に取り付けられており、表示装置１０には入力フィールドを構成する表示領域１４が設けられているとともに、この表示装置１０側にはスピーカ３６及びアンテナ３８が取り付けられ、また、電話機本体１２側には入力装置１１が設けられている。入力装置１１には、３行４列の複数の文字キー１５が設けられるとともに、その上部には表示領域１４に表示されるカーソル１９（図２）を上下左右に操作するために用いるカーソルキー４０、４２、４４、４６、カーソルキー４０、４２で構成された変換キー１６、確定キー１７、その他のキーが設けられている。また、電話機本体１２側にはマイクロホン４８が設けられている。
【０１３９】
そして、本発明に係る処理システムは日本語圏又は英語圏向けの携帯電話機として構成することができ、日本語圏向けの携帯電話機では、例えば、図２６に示すように、電話機本体１２側の文字キー１５には日本語のひらがな、アルファベット、記号等が割り当てられている。
【０１４０】
このような携帯電話機に第１〜第４の実施の形態に係る処理システムを搭載すれば、既に述べた通り、変換対象の変換候補又は変換結果への変換処理、予測変換等の各種の情報処理を行うことができる。
【０１４１】
この処理システムを利用すれば、例えば、表６に示すように、語頭の「お」を共通の入力文字として時間帯に則した挨拶を表す変換候補を取り出すことができる。
【０１４２】
【表６】
2004005379.tif 000008
【０１４３】
また、英語圏向けの携帯電話機として構成する場合には、図２５及び図２６に示す入力装置１１の文字キー１５に表示された日本語のひらがなに代えてアルファベットによる表示とすればよい。
【０１４４】
そして、英語圏向けの処理システムとしては、変換対象として語頭の入力文字を例えば、「Ｇ」に時間帯を表す時間情報を参酌して表７に示す変換候補を取り出すことができる。
【０１４５】
【表７】
2004005379.tif 000009
【０１４６】
また、本発明に係る処理システムは、韓国語圏の携帯電話機として具現化することができ、この携帯電話機は、例えば、図２７に示すように構成することができ、その入力装置１１の複数の文字キー１５の表示を例えば、図２８に示すように、子音、母音及びパッチムを割り付ければよい。
【０１４７】
このような携帯電話機によれば、本発明に係る処理システムを用いることにより、変換対象として語頭の文字の要素である無音子音を入力文字に時間帯を表す時間情報を参照し、例えば、表８に示すように、時間帯によって異なる挨拶を表す変換候補を共通の入力文字を用いて時間帯毎にユーザが期待し、予測する変換候補を取り出すことができる。
【０１４８】
【表８】
2004005379.tif 000010
【０１４９】
この場合、例えば、表９に示すように、入力文字に語頭の無音子音としてアルファベットの「ｘ」を用いてもよく、同様に時間帯を表す時間情報を参照し、時間帯毎にユーザが期待し、予測する変換候補を取り出すことができる。
【０１５０】
【表９】
2004005379.tif 000011
【０１５１】
また、この場合、例えば、表１０に示すように、入力文字に語頭の１文字を用いてもよく、同様に時間帯を表す時間情報を参照し、時間帯毎にユーザが期待し、予測する変換候補を取り出すことができる。
【０１５２】
【表１０】
2004005379.tif 000012
【０１５３】
また、この場合、例えば、表１１に示すように、入力文字に語頭の１文字の音（読み）、即ち、無音子音を表す「ｘ」、母音「ａ」、発音子音「ｎ」の組合せを用いてもよく、同様に時間帯を表す時間情報を参照し、時間帯毎にユーザが期待し、予測する変換候補を取り出すことができる。
【０１５４】
【表１１】
2004005379.tif 000013
【０１５５】
また、この場合、例えば、表１２に示すように、入力文字に語頭の１文字中の一部の音（読み）、即ち、母音を表す「ａ」と発音子音「ｎ」の組合せを用いてもよく、同様に時間帯を表す時間情報を参照し、時間帯毎にユーザが期待し、予測する変換候補を取り出すことができる。
【０１５６】
【表１２】
2004005379.tif 000014
【０１５７】
また、他の韓国語の登録語としては、例えば、表１３に示すように、変換対象として語頭の文字の要素である無音子音を入力文字に時間帯を表す時間情報を参照し、共通の入力文字を用いて時間帯毎に異なる変換候補を取り出すことができる。
【０１５８】
【表１３】
2004005379.tif 000015
【０１５９】
この場合、例えば、表１４に示すように、発音を表す共通の入力文字として、「ｊ」を用いて同様に変換候補を取り出すようにしてもよい。
【０１６０】
【表１４】
2004005379.tif 000016
【０１６１】
また、本発明に係る処理システムは、中国語圏の携帯電話機として具現化することができ、この携帯電話機は、例えば、図２９に示すように構成することができ、その入力装置１１の複数の文字キー１５の表示を例えば、図３０に示すように、中国語の発音を表すアルファベットを割り付ければよい。この場合、漢字を構成する要素を割り付けてもよい。
【０１６２】
このような携帯電話機によれば、本発明に係る処理システムを用いることにより、変換対象として語頭の文字の要素である無音子音を入力文字に時間帯を表す時間情報を参照し、例えば、表１５に示すように、時間帯によって異なる挨拶を表す変換候補を共通の入力文字「ｎ」を用いて時間帯毎にユーザが期待し、予測する変換候補を取り出すことができる。
【０１６３】
【表１５】
2004005379.tif 000017
【０１６４】
この場合、例えば、表１６に示すように、入力文字に子音及び母音からなる２文字である「ｎｉ」としてもよい。
【０１６５】
【表１６】
2004005379.tif 000018
【０１６６】
以上の例では、語頭の文字を入力文字として説明したが、語尾の共通語を入力文字として採用してもよく、例えば、表１７に示すように、変換候補の語尾の共通音「ｈａｏ　」を用いることにより、時間帯毎に異なる挨拶である変換候補を取り出すようにしてもよい。
【０１６７】
【表１７】
2004005379.tif 000019
【０１６８】
なお、以上例示した表８〜表１７には、変換候補の意味が便宜上記載されている。この意味欄の内容は実際の変換には不要であるが、母国語が異なるユーザに対しては表示するようにしてもよい。
【０１６９】
（他の実施の形態）
以上説明した実施の形態では、日本語、英語、韓国語、中国語を例示して説明したが、本発明は、変換候補又は変換結果の語頭又は語尾の文字を変換対象として用いたが、文字以外の記号を変換対象とし、変換候補又は変換結果を時間情報を参照して取り出すようにしてもよく、文字や記号の要素でもよく、文字、記号、文字の要素又は記号の要素の２以上の組合せを変換対象としてもよく、対象とする言語に応じて任意に設定することができる。
【０１７０】
また、本発明では、表１〜表１７に示すように、語頭又は語尾に共通の語を持つ変換候補を対象にしたが、語頭又は語尾に共通な語を持つ変換候補では、ユーザの変換候補に対する認識や使い勝手が容易である利点があるが、これらはユーザの慣れや習熟度に関わることであり、変換候補は必ずしも語頭や語尾が一致する必要はない。例えば、挨拶文という概念で共通文字を設定し、時間帯に則した挨拶文が優先的に取り出されるように設定しても、変換対象に対する変換候補や変換結果を得ることができ、ユーザが期待し又は予測する変換語を時間帯に則して取り出すことができ、変換処理の迅速化や最適化に寄与することができる。
【０１７１】
本発明の情報処理装置、情報処理方法、情報処理プログラム及び記録媒体について、第１〜第４の実施の形態では情報処理システムとして説明したが、本発明は、文字入力処理装置、文字入力処理方法、文字入力処理プログラム及び記録媒体として構成することが可能である。
【０１７２】
以上説明したように、本発明の最も好ましい実施の形態等について説明したが、本発明は、上記記載に限定されるものではなく、特許請求の範囲に記載され、又は発明の詳細な説明に開示された発明の要旨に基づき、当業者において様々な変形や変更が可能であることは勿論であり、係る変形や変更は、本発明の範囲に含まれるものである。
【０１７３】
次に、本発明について、請求項に記載すべき技術的思想を請求項の記載形式に準えて付記として列挙する。
【０１７４】
（付記１）　文字、記号、文字又は記号の要素、又はこれらの２以上の組合せを変換対象とし、この変換対象に対応する１又は２以上の変換候補を時間情報に関係付けて格納する辞書と、
検出した時刻を表す時間情報を出力する時間検出手段と、
前記辞書の参照により前記変換対象を１又は２以上の変換候補に前記時間情報に関係付けて変換する変換手段と、
を備えたことを特徴とする情報処理装置。
【０１７５】
（付記２）　前記変換手段は、前記変換対象の変換時の時間情報を用いて前記変換候補の順序を変更する順序変更手段を備えたことを特徴とする付記１記載の情報処理装置。
【０１７６】
（付記３）　前記変換手段は、時間情報に関係付けられた前記変換候補と前記時間情報との関係を更正する時間更正手段を備えたことを特徴とする付記１記載の情報処理装置。
【０１７７】
（付記４）　文字、記号、文字又は記号の要素、又はこれらの２以上の組合せを変換対象とし、この変換対象を認識するステップと、
時間情報を認識するステップと、
前記変換対象に対応する１又は２以上の変換候補を時間情報に関係付けて格納した辞書を参照し、前記変換対象に対応する１又は２以上の変換候補を前記時間情報に関係付けて変換するステップと、
を備えたことを特徴とする情報処理方法。
【０１７８】
（付記５）　前記変換対象に対応する１又は２以上の変換候補を前記時間情報に関係付けて変換する際に、前記変換候補の順序を前記時間情報に応じて変更するステップを含むことを特徴とする付記４記載の情報処理方法。
【０１７９】
（付記６）　前記時間情報と前記変換候補との関係を更正するステップを含むことを特徴とする付記４記載の情報処理方法。
【０１８０】
（付記７）　文字、記号、文字又は記号の要素、又はこれらの２以上の組合せを変換対象とし、この変換対象を認識する機能と、
時間情報を認識する機能と、
前記変換対象に対応する１又は２以上の変換候補を時間情報に関係付けて格納した辞書を参照し、前記変換対象に対応する１又は２以上の変換候補を前記時間情報に関係付けて変換する機能と、
を備え、係る機能を情報処理装置に実現させることを特徴とする情報処理プログラム。
【０１８１】
（付記８）　前記変換対象に対応する１又は２以上の変換候補を前記時間情報に関係付けて変換する際に、前記変換候補の順序を前記時間情報に応じて変更する機能を含み、係る機能を情報処理装置に実現させることを特徴とする付記７記載の情報処理プログラム。
【０１８２】
（付記９）　前記時間情報と前記変換候補との関係を更正する機能を含み、係る機能を前記情報処理装置に実現させることを特徴とする付記７記載の情報処理プログラム。
【０１８３】
（付記１０）　文字、記号、文字又は記号の要素、又はこれらの２以上の組合せを変換対象とし、この変換対象を認識する機能と、
時間情報を認識する機能と、
前記変換対象に対応する１又は２以上の変換候補を時間情報に関係付けて格納した辞書を参照し、前記変換対象に対応する１又は２以上の変換候補を前記時間情報に関係付けて変換する機能と、
を備え、係る機能を情報処理装置に実現させる情報処理プログラムを格納したことを特徴とする記録媒体。
【０１８４】
（付記１１）　前記変換対象に対応する１又は２以上の変換候補を前記時間情報に関係付けて変換する際に、前記変換候補の順序を前記時間情報に応じて変更する機能を備え、係る機能を情報処理装置に実現させる情報処理プログラムを記録したことを特徴とする付記１０記載の記録媒体。
【０１８５】
（付記１２）　前記時間情報と前記変換候補との関係を更正する機能を含み、係る機能を前記情報処理装置に実現させる情報処理プログラムを記録したことを特徴とする付記１０記載の記録媒体。
【０１８６】
（付記１３）　前記時間情報は、朝、昼、夜、深夜の時間帯であることを特徴とする付記１ないし付記３記載の情報処理装置。
【０１８７】
（付記１４）　変換対象文字に対応する１又は複数の変換結果と時刻とを対応付けて記憶する辞書と、
時刻を検出する時間検出手段と、
変換対象文字を入力する文字入力手段から文字が入力された際又は変換対象文字の変換を指示する変換指示手段から変換対象文字の変換が指示された際に、前記時間検出手段が示す時刻に基づき、前記辞書を参照して変換結果を確定する変換手段と、
を備えたことを特徴とする文字入力処理装置。
【０１８８】
（付記１５）　付記１４記載の文字入力処理装置であって、
前記変換手段は、複数の変換対象結果を確定するとともに、
前記複数の変換結果の中から変換結果を特定する変換結果特定手段と、
前記変換結果特定手段により特定された変換結果と前記時間検出手段が示す時刻とを対応付けて、前記辞書に記憶する登録手段と、
を備えたことを特徴とする文字入力処理装置。
【０１８９】
（付記１６）　入力された変換対象文字を認識するステップと、
時刻を検出する時間検出手段の示す時刻を認識するステップと、
変換対象文字に対応する１又は複数の変換結果と時刻とを対応付けて記憶する辞書の中から、前記変換対象文字の変換結果を、前記時刻に基づいて確定するステップと、
前記確定した変換結果を表示するステップと、
からなることを特徴とする文字入力処理方法。
【０１９０】
（付記１７）　入力された変換対象文字を認識するステップと、
時刻を検出する時間検出手段の示す時刻を認識するステップと、
変換対象文字に対応する１又は複数の変換結果と時刻とを対応付けて記憶する辞書の中から、前記変換対象文字の変換結果を、前記時刻に基づいて確定するステップと、
前記確定した変換結果を表示するステップと、
をコンピュータに実行させるための文字入力処理プログラム。
【０１９１】
（付記１８）　上記時刻として、朝、昼、夜、深夜の時間帯としたことを特徴とする付記１４又は付記１５記載の文字入力処理装置。
【０１９２】
（付記１９）　複数の変換候補から変換結果を特定する特定手段と、
この特定手段で特定された変換結果と前記時間情報とを関係付けて前記辞書に記憶させる登録手段と、
を備えたことを特徴とする付記１記載の情報処理装置。
【０１９３】
（付記２０）　文字、記号、文字又は記号の要素、又はこれらの２以上の組合せを変換対象とし、この変換対象又はこの変換対象を変換する指示を受け付けるステップと、
変換対象を変換候補に変換する際、時間情報を用いて変換候補の順序を変更して辞書に登録するステップと、
を備えたことを特徴とする情報処理方法。
【０１９４】
（付記２１）　前記変換時に選択された前記変換候補から生活時間帯を判定するステップと、
前記生活時間帯に応じて前記時間情報と前記変換候補との関係を変更して辞書に登録するステップと、
を備えたことを特徴とする付記４記載の情報処理方法。
【０１９５】
（付記２２）　文字、記号、文字又は記号の要素、又はこれらの２以上の組合せを変換対象とし、この変換対象又はこの変換対象を変換する指示を受け付ける機能と、
変換対象を変換候補に変換する際、時間情報を用いて変換候補の順序を変更して辞書に登録する機能と、
を備え、係る機能を情報処理装置に実行させることを特徴とする情報処理プログラム。
【０１９６】
（付記２３）　選択される変換候補から生活時間帯を判定する機能と、
前記生活時間帯に応じて前記時間情報と前記変換候補との関係を変更して辞書に登録する機能と、
を備え、係る機能を情報処理装置に実行させることを特徴とする付記２２記載の情報処理プログラム。
【０１９７】
（付記２４）　文字、記号、文字又は記号の要素、又はこれらの２以上の組合せを変換対象とし、この変換対象又はこの変換対象を変換する指示を受け付ける機能と、
変換対象を変換候補に変換する際、時間情報を用いて変換候補の順序を変更して辞書に登録する機能と、
を備え、係る機能を情報処理装置に実行させる情報処理プログラムを格納したことを特徴とする記録媒体。
【０１９８】
（付記２５）　選択される前記変換候補から生活時間帯を判定する機能と、
前記生活時間帯に応じて前記時間情報と前記変換情報との関係を変更して辞書に登録する機能と、
を備え、係る機能を情報処理装置に実行させる情報処理プログラムを格納したことを特徴とする付記２４記載の記録媒体。
【０１９９】
【発明の効果】
以上説明したように、本発明によれば、次の効果が得られる。
（１）　　文字、記号、文字又は記号の要素、又はこれらの２以上の組合せを変換対象とし、この変換対象に対応する１又は２以上の変換候補に時間情報に関係付け、変換対象に対応する変換候補を時間情報に関係付けて取り出すことができ、挨拶文等の変換候補を時間に則して変換することができ、変換処理の迅速化とともに、ユーザが期待し、又は予測する変換候補又は変換結果を得ることができる。
（２）　　順序変更手段を備えて変換対象を変換候補や変換結果に変換する変換時の時間情報を用いて変換候補の順序を変更すれば、変換候補や変換結果を変換時の時間情報に則して変化させることができ、変換候補又は変換結果への変換処理の簡略化及び迅速化とともに、ユーザが期待する最適な変換結果を得ることができる。
（３）　　時間更正手段を備えて時間情報に関係付けられた変換候補と時間情報との関係を更正すれば、ユーザの生活時間帯等の時間情報に則した変換候補や変換結果が得られ、ユーザが期待する最適な変換結果を得ることができる。
【図面の簡単な説明】
【図１】本発明の情報処理装置、情報処理方法、情報処理プログラム及び記録媒体の第１の実施の形態に係る処理システムを示すブロック図である。
【図２】携帯電話機を示す斜視図である。
【図３】本発明の情報処理装置、情報処理方法、情報処理プログラム及び記録媒体の第１の実施の形態に係る処理動作を示すフローチャートである。
【図４】表示装置の画面表示の推移を示す図である。
【図５】変換処理を示すフローチャートである。
【図６】表示文字列と使用辞書との関係を示す図である。
【図７】履歴辞書の登録内容を示す図である。
【図８】時間辞書の登録内容及び時間帯を示し、（ａ）はその登録内容、（ｂ）時間帯の時間幅を示す図である。
【図９】ユーザ登録辞書の登録内容を示す図である。
【図１０】基本辞書の登録内容を示す図である。
【図１１】辞書登録処理及び表示例を示すフローチャートである。
【図１２】本発明の第１の実施の形態に係る情報処理装置を示し、（ａ）は携帯電話機を示す斜視図、（ｂ）はＰＤＡを示す正面図である。
【図１３】本発明の情報処理装置、情報処理方法、情報処理プログラム及び記録媒体の第２の実施の形態に係る処理システムを示すブロック図である。
【図１４】本発明の情報処理装置、情報処理方法、情報処理プログラム及び記録媒体の第３の実施の形態に係る処理システムを示すブロック図である。
【図１５】本発明の情報処理装置、情報処理方法、情報処理プログラム及び記録媒体の第４の実施の形態に係る処理システムを示すブロック図である。
【図１６】表示文字列と使用辞書との関係を示す図である。
【図１７】推測頭出し変換処理を示すフローチャートである。
【図１８】単一文字入力に対する変換処理を示す図である。
【図１９】ユーザ登録辞書への入力、変換及び登録処理を示すフローチャートである。
【図２０】ユーザ登録辞書を用いた入力、変換及び登録処理を示すフローチャートである。
【図２１】ユーザ登録辞書を用いた入力及び変換処理を示すフローチャートである。
【図２２】ユーザ登録辞書を用いた入力、変換及び登録処理を示すフローチャートである。
【図２３】単一文字の変換処理及び使用辞書を示す図である。
【図２４】単一文字の変換処理及び使用辞書を示す図である。
【図２５】日本語及び英語による入出力が可能な携帯電話機を示す正面図である。
【図２６】図２５に示した携帯電話機の入力装置部を示す図である。
【図２７】韓国語及び英語による入出力が可能な携帯電話機を示す正面図である。
【図２８】図２７に示した携帯電話機の入力装置部を示す図である。
【図２９】中国語及び英語による入出力が可能な携帯電話機を示す正面図である。
【図３０】図２９に示した携帯電話機の入力装置部を示す図である。
【符号の説明】
１　処理装置
２　入力手段
３　変換手段
６　履歴辞書
７　時間辞書
８　ユーザ登録辞書
９　基本辞書
３０　時間帯更正手段（時間更正手段）
３４　推測頭出し変換用辞書
【図１】
2004005379.tif 000020
【図２】
2004005379.tif 000021
【図３】
2004005379.tif 000022
【図４】
2004005379.tif 000023
【図５】
2004005379.tif 000024
【図６】
2004005379.tif 000025
【図７】
2004005379.tif 000026
【図８】
2004005379.tif 000027
【図９】
2004005379.tif 000028
【図１０】
2004005379.tif 000029
【図１１】
2004005379.tif 000030
【図１２】
2004005379.tif 000031
【図１３】
2004005379.tif 000032
【図１４】
2004005379.tif 000033
【図１５】
2004005379.tif 000034
【図１６】
2004005379.tif 000035
【図１７】
2004005379.tif 000036
【図１８】
2004005379.tif 000037
【図１９】
2004005379.tif 000038
【図２０】
2004005379.tif 000039
【図２１】
2004005379.tif 000040
【図２２】
2004005379.tif 000041
【図２３】
2004005379.tif 000042
【図２４】
2004005379.tif 000043
【図２５】
2004005379.tif 000044
【図２６】
2004005379.tif 000045
【図２７】
2004005379.tif 000046
【図２８】
2004005379.tif 000047
【図２９】
2004005379.tif 000048
【図３０】
2004005379.tif 000049
【手続補正書】
【提出日】平成15年3月25日(2003.3.25)
【手続補正１】
【補正対象書類名】明細書
【補正対象項目名】０００４
【補正方法】変更
【補正の内容】
【０００４】
【特許文献１】
特開平２−７１３６１号公報